(57)【要約】【課題】意図しない遠隔操作がなされてしまうことを抑制可能な画像表示装置を提供する。【解決手段】２つのリモコン４１，４２は、互いに異なるフォーマットのリモコン信号を送信し、リモコン信号受信部２８は、これら２つのフォーマットの双方を受信可能になっている。ただし、リモコン信号受信部２８は、双方のフォーマットを同時に有効（受信可能な状態）にすることはできず、いずれか一方のフォーマットのみを有効に設定することができる。つまり、他方のフォーマットのリモコン信号を受信するためには、設定を変更して有効なフォーマットを切り替える必要がある。【選択図】図１
2010186036.tif 000002
【特許請求の範囲】
【請求項１】
リモコンから送信されるリモコン信号によって遠隔操作がなされる画像表示装置であって、
複数のフォーマットの前記リモコン信号を受信可能なリモコン信号受信部と、
前記複数のフォーマットの中から有効なフォーマットを設定するフォーマット設定部と、
前記リモコン信号受信部が受信した前記リモコン信号のフォーマットが、前記フォーマット設定部で有効に設定されたフォーマットである場合に、前記リモコン信号に基づく制御を行う制御部と、
前記制御部の制御に基づいて画像を表示する表示部と、
を備えたことを特徴とする画像表示装置。
【請求項２】
請求項１に記載の画像表示装置であって、
前記フォーマット設定部は、前記複数のフォーマットの一覧を前記表示部に表示させ、その中から有効に設定すべきフォーマットを選択させることを特徴とする画像表示装置。
【請求項３】
請求項２に記載の画像表示装置であって、
前記フォーマット設定部は、有効に設定すべきフォーマットが選択された後で、前記表示部に確認メッセージを表示させ、当該確認メッセージによる確認がなされた後で、選択された前記フォーマットを有効に設定することを特徴とする画像表示装置。
【請求項４】
請求項１〜３のいずれか１項に記載の画像表示装置であって、
前記複数のフォーマットのうち、いずれか１つのフォーマットのリモコン信号を送信するリモコンをさらに備えたことを特徴とする画像表示装置。
【請求項５】
請求項１〜３のいずれか１項に記載の画像表示装置であって、
前記複数のフォーマットのリモコン信号をそれぞれ送信する複数のリモコンをさらに備えたことを特徴とする画像表示装置。
【請求項６】
請求項５に記載の画像表示装置であって、
前記複数のリモコンには、第１のリモコンと、前記第１のリモコンよりも操作内容が制限された第２のリモコンと、が含まれることを特徴とする画像表示装置。
【発明の詳細な説明】
【技術分野】
【０００１】
本発明は、リモコンによって遠隔操作がなされる画像表示装置に関する。
【背景技術】
【０００２】
複数の画像表示装置を所定の空間内で利用する場合において、これら複数の画像表示装置を遠隔操作するためのリモコンが共通であれば、１つのリモコンで複数の画像表示装置を同時に操作することが可能となる。ところが、上記のような構成では、それぞれの画像表示装置を個別に遠隔操作したい場合でも、複数の画像表示装置がリモコンに反応して動作してしまうことになる。このため、特許文献１には、リモコン操作の有効と無効とを切り替えるためのスイッチ回路を設け、このスイッチ回路をオンに設定した場合にのみリモコン操作が可能となる画像表示装置（投写型画像表示装置）が提案されている。この画像表示装置によれば、スイッチ回路をオフに設定することによってリモコンに反応することがなくなるため、意図せずに複数の画像表示装置を動作させてしまう事態を抑制できる。
【先行技術文献】
【特許文献】
【０００３】
【特許文献１】特開２０００−３３０２０１号公報
【発明の概要】
【発明が解決しようとする課題】
【０００４】
しかしながら、特許文献１に記載の画像表示装置では、スイッチ回路をオフに設定した画像表示装置に対してリモコン操作を行うためには、スイッチ回路をオンに設定し直さなければならず、操作対象を頻繁に切り替える必要がある状況下では、操作が煩雑になってしまうという問題を有している。また、同じく特許文献１には、１つの画像表示装置がリモコンから受信した信号を、ケーブルを介して他の画像表示装置に伝達することにより、個別の操作を可能とする構成も提案されている。しかしながら、このような構成では、ケーブルを接続する作業が必要となるため、事前の準備が煩雑になってしまうとともに、ケーブル接続によって各画像表示装置の配置に制限が加わったり、部屋の美観を損ねたりしてしまう。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示装置は、リモコンから送信されるリモコン信号によって遠隔操作がなされる画像表示装置であって、複数のフォーマットの前記リモコン信号を受信可能なリモコン信号受信部と、前記複数のフォーマットの中から有効なフォーマットを設定するフォーマット設定部と、前記リモコン信号受信部が受信した前記リモコン信号のフォーマットが、前記フォーマット設定部で有効に設定されたフォーマットである場合に、前記リモコン信号に基づく制御を行う制御部と、前記制御部の制御に基づいて画像を表示する表示部と、を備えたことを特徴とする。
【０００７】
この画像表示装置によれば、フォーマット設定部で有効に設定されたフォーマットのリモコン信号をリモコン信号受信部が受信した場合に、制御部がこのリモコン信号に基づく制御を行う構成であるため、有効なフォーマットを適宜設定することによって、利用可能なリモコンを切り替えることが可能となる。このため、近接して配置される複数の画像表示装置において、それぞれ異なるフォーマットを有効に設定しておけば、同一のリモコンで遠隔操作されてしまうことがなくなり、複数の画像表示装置を個別に操作することが可能となる。また、他の画像表示装置が近接して配置されていない場合であっても、有効なフォーマットのリモコン以外では遠隔操作ができなくなるため、意図しない遠隔操作を抑制することが可能となる。
【０００８】
［適用例２］上記適用例に係る画像表示装置において、前記フォーマット設定部は、前記複数のフォーマットの一覧を前記表示部に表示させ、その中から有効に設定すべきフォーマットを選択させることが望ましい。
【０００９】
この画像表示装置によれば、複数のフォーマットの一覧の中から有効にすべきフォーマットを選択する構成であるため、フォーマットの設定を容易に行うことが可能となる。
【００１０】
［適用例３］上記適用例に係る画像表示装置において、前記フォーマット設定部は、有効に設定すべきフォーマットが選択された後で、前記表示部に確認メッセージを表示させ、当該確認メッセージによる確認がなされた後で、選択された前記フォーマットを有効に設定することが望ましい。
【００１１】
この画像表示装置によれば、有効にすべきフォーマットが選択された後に確認メッセージを表示させ、確認メッセージによる確認がなされた後で、選択されたフォーマットを有効に設定する構成であるため、有効なフォーマットの設定変更（切り替え）が不用意に行われてしまうことを抑制することが可能となる。
【００１２】
［適用例４］上記適用例に係る画像表示装置において、前記複数のフォーマットのうち、いずれか１つのフォーマットのリモコン信号を送信するリモコンをさらに備えるようにしてもよい。
【００１３】
［適用例５］上記適用例に係る画像表示装置において、前記複数のフォーマットのリモコン信号をそれぞれ送信する複数のリモコンをさらに備えるようにしてもよい。
【００１４】
［適用例６］上記適用例に係る画像表示装置において、前記複数のリモコンには、第１のリモコンと、前記第１のリモコンよりも操作内容が制限された第２のリモコンと、が含まれるようにしてもよい。
【図面の簡単な説明】
【００１５】
【図１】プロジェクターの概略構成を示すブロック図。
【図２】リモコン信号を説明するための説明図。
【図３】有効なフォーマットを切り替える際のプロジェクターの動作を説明するフローチャート。
【図４】フォーマット選択メニューを示す図。
【図５】確認メッセージを示す図。
【図６】変形例に係るリモコンを示す図。
【発明を実施するための形態】
【００１６】
以下、画像表示装置としてのプロジェクターについて説明する。
【００１７】
図１は、本実施形態のプロジェクターの概略構成を示すブロック図である。
図１に示すように、プロジェクター１は、プロジェクター本体２と、プロジェクター本体２を遠隔操作するための２つのリモコン４１，４２（以降、「第１のリモコン４１」及び「第２のリモコン４２」とも呼ぶ。）とを備えて構成されており、プロジェクター本体２は、画像投写部１０、制御部２０、記憶部２１、画像情報入力部２２、画像処理部２３、ＯＳＤ処理部２４、電源回路２５、光源制御部２６、操作パネル２７、リモコン信号受信部２８等を備えている。
【００１８】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写して外部のスクリーンＳ等に表示する。
【００１９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３によって拡大投写される。
【００２１】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター本体２の動作を統括制御する。つまり、制御部２０は、記憶部２１とともにコンピューターとして機能する。
【００２２】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部２１には、プロジェクター本体２の動作を制御するための制御プログラムや、プロジェクター本体２の動作条件等を規定する各種設定データ等が記憶されている。
【００２３】
画像情報入力部２２は、ビデオ再生装置やパーソナルコンピューター等、外部の画像出力装置Ｃと接続される入力端子（図示せず）を備えており、画像出力装置Ｃから各種形式の画像情報が入力される。画像情報入力部２２に入力された画像情報は、画像処理部２３に供給される。
【００２４】
画像処理部２３は、画像情報入力部２２から入力される各種形式の画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部２３は、制御部２０の指示に基づき、変換した画像情報に対して、明るさ、コントラスト、シャープネス、色合い等を調整するための画質調整処理等を行い、処理後の画像情報をＯＳＤ処理部２４に出力する。
【００２５】
ＯＳＤ処理部２４は、制御部２０の指示に基づいて、画像投写部１０から投写される画像（投写画像）上に、メニュー画像やメッセージ画像等のＯＳＤ（オンスクリーンディスプレー）画像を重畳表示するための処理を行う。ＯＳＤ処理部２４は、図示しないＯＳＤメモリーを備えており、ＯＳＤ画像を形成するための図形やフォント等を表すＯＳＤ画像情報を記憶している。制御部２０が、ＯＳＤ画像の重畳表示を指示すると、ＯＳＤ処理部２４は、必要なＯＳＤ画像情報をＯＳＤメモリーから読み出し、投写画像上の所定の位置にＯＳＤ画像が重畳されるように、画像処理部２３から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２４は、画像処理部２３から入力される画像情報を、そのままライトバルブ駆動部１４に出力する。
【００２６】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００２７】
電源回路２５には、外部からＡＣ１００Ｖ等の商用電源が供給される。電源回路２５は、商用電源（交流電源）を所定の電圧の直流電源に変換して、プロジェクター本体２の各部に電力を供給する。また、電源回路２５は、制御部２０の指示に基づいて、画像の投写に必要な電力（動作電力）を各部に供給する状態（「電源がオンの状態」とも呼ぶ。）と、動作電力の供給を停止した状態（「電源がオフの状態」又は「スタンバイ状態」とも呼ぶ。）とを切り替えることができる。
【００２８】
光源制御部２６は、制御部２０の指示に基づいて、光源１１に対する電力の供給と停止とを制御し、光源１１の点灯及び消灯を切り替える。
【００２９】
操作パネル２７は、ユーザーからの入力操作を受け付ける入力操作部に相当するものであり、プロジェクター本体２に対して各種指示を行うための複数の操作キーを備えている。操作パネル２７に備わる操作キーには、電源のオンとオフとを切り替えるための電源キー、各種設定を行うためのメニュー画像（トップメニュー）を重畳表示させるためのメニューキー、メニュー画像上での項目の選択等に用いられる方向キー（上下左右に対応する４つの操作キー）、メニュー画像において選択された項目を決定するための決定キー等が含まれる。ユーザーが操作パネル２７の各種操作キーを操作すると、操作パネル２７は、操作された操作キーに応じた操作信号を制御部２０に出力する。
【００３０】
リモコン４１，４２は、操作パネル２７と同様、電源キー、メニューキー、方向キー、決定キー等の複数の操作キーを備えており、ユーザーに操作された操作キーに対応する制御コードを、赤外線の点滅信号（リモコン信号）としてプロジェクター本体２に送信する。ここで、リモコン信号のフォーマット（通信方式）としては、多くのメーカーに採用されているＮＥＣ（登録商標）フォーマットや家製協フォーマットの他、メーカー独自のフォーマット等、多数のフォーマットが存在する。そして、本実施形態の２つのリモコン４１，４２は、互いに異なるフォーマットのリモコン信号を送信するようになっており、これ以降、第１のリモコン４１のフォーマットを「第１のフォーマット」、第２のリモコン４２のフォーマットを「第２のフォーマット」と呼ぶ。
【００３１】
リモコン信号受信部２８は、リモコン４１，４２から送信されるリモコン信号を受信するものであり、第１のフォーマット及び第２のフォーマットの双方を受信可能になっている。ただし、本実施形態では、双方のフォーマットを同時に有効（受信可能な状態）にすることはできず、いずれか一方のフォーマットのみを有効に設定することができる。つまり、他方のフォーマットのリモコン信号を受信するためには、設定を変更して有効なフォーマットを切り替える必要がある。
【００３２】
図２は、リモコン信号を説明するための説明図である。
図２に示すように、リモコン４１，４２から送信されるリモコン信号は、リーダー部と、データ部とを含んでいる。このうち、データ部は、リモコン信号の本体であり、操作内容（操作された操作キー）に応じた制御コードの他に、メーカーや機器を識別するためのコード等がＰＰＭ（Pulse Position Modulation）方式で変調されている。ＰＰＭ方式では、赤外線を点灯させる期間（オン期間）と消灯させる期間（オフ期間）との組み合わせで１ビットが表され、例えば、オフ期間の長さ（長短）によって０か１かが定まる。なお、フォーマットによっては、オン期間の長さ（長短）によって０か１かが定まるものもある。
【００３３】
リーダー部は、リモコン信号の開始を示すものあり、データ部に先立って送信される。リーダー部は、それぞれ所定の長さのオン期間とオフ期間とで構成されるが、データ部におけるオン期間及びオフ期間よりも十分に長く設定されているため、リーダー部であることを容易に識別可能になっている。また、リーダー部におけるオン期間とオフ期間の長さはリモコン信号のフォーマットによって異なることから、受信したリモコン信号のリーダー部のオン期間やオフ期間の長さを計測することによってリモコン信号のフォーマットを判別することができる。
【００３４】
図１に戻って、リモコン信号受信部２８は、受光部２８ａ、設定記憶部２８ｂ、信号処理部２８ｃ等で構成されている。受光部２８ａは、フォトダイオード等の受光素子を備えて構成され、リモコン４１，４２から送信されるリモコン信号を受光して電気信号に変換する。
【００３５】
設定記憶部２８ｂには、プロジェクター１が対応する２つのフォーマットのうち、どのフォーマットが有効に設定されているかを示す情報（有効フォーマット情報）が記憶されているとともに、制御コードとユーザーの操作内容とを対応付けたデータテーブルが記憶されている。なお、記憶部２１には、フォーマット別に２つのデータテーブルが予め記憶されており、有効なフォーマットを切り替える際に、新たに有効となるフォーマットのデータテーブルが記憶部２１から読み出されて設定記憶部２８ｂに書き込まれる（詳しくは後述する）。
【００３６】
信号処理部２８ｃは、受信したリモコン信号のフォーマットを判別するとともに、設定記憶部２８ｂに記憶されている有効フォーマット情報に基づいて、受信したリモコン信号のフォーマットが有効であるか否かを判断する。そして、受信したリモコン信号のフォーマットが有効なフォーマットである場合には、信号処理部２８ｃは、設定記憶部２８ｂに記憶されているデータテーブルを参照してユーザーの操作内容を認識し、制御部２０に通知する。一方、受信したリモコン信号のフォーマットが有効なフォーマットでない場合には、信号処理部２８ｃは、受信したリモコン信号を破棄し、制御部２０への通知は行わない。
【００３７】
制御部２０は、リモコン信号受信部２８（信号処理部２８ｃ）から操作内容が通知されると、その操作内容に応じた制御を実行する。例えば、ユーザーが電源キーを操作した場合には、制御部２０は、電源回路２５に指示をして、電源のオンとオフとを切り替えさせる。また、ユーザーがメニューキーを操作した場合には、制御部２０は、ＯＳＤ処理部２４に指示をしてメニュー画像（図示せず）を表示させる。
【００３８】
図３は、有効なフォーマットを切り替える際のプロジェクター１の動作を説明するフローチャートである。ユーザーが操作パネル２７又はリモコン４１，４２に備わるメニューキーを操作して、図示しないメニュー画像（トップメニュー）を重畳表示させた後、トップメニューに含まれる複数の項目の中から、リモコンのフォーマットを変更するための項目を選択すると、制御部２０は、図３に示すフローに従って動作する。
【００３９】
図３に示すように、ステップＳ１０１では、制御部２０は、ＯＳＤ処理部２４に指示をして、有効なフォーマットを選択するためのＯＳＤ画像（フォーマット選択メニューＭｆ）を重畳表示させる（図４参照）。
【００４０】
図４に示すように、フォーマット選択メニューＭｆは、リモコン信号受信部２８が受信可能なフォーマットの一覧を表示して、有効にすべきフォーマットをユーザーに選択させるためのＯＳＤ画像であり、本実施形態では、「第１のフォーマット」と「第２のフォーマット」の２つの項目が縦に並んで表示されている。これら２つの項目（フォーマット）のうちの１つ（図４の例では「第１のフォーマット」）は、強調された配色になっており、この項目が選択された状態であることを示している。ユーザーは、操作パネル２７又はリモコン４１，４２に備わる方向キーを操作することにより、任意のフォーマットを選択することが可能であり、有効にしたいフォーマットを選択した後に決定キーを操作すると、フォーマットの選択が完了する。なお、フォーマット選択メニューＭｆが表示された直後には、その時点で有効に設定されているフォーマットが選択された状態になっている。
【００４１】
フォーマットの選択が完了してステップＳ１０２に移行すると、制御部２０は、有効なフォーマットを切り替える選択がなされたか否か、即ちその時点で有効に設定されているフォーマットとは異なるフォーマットが選択されたか否かを判断する。そして、有効なフォーマットを切り替える選択がなされた場合には、ステップＳ１０３に移行する。一方、その時点で有効に設定されているフォーマットが改めて選択された場合には、制御部２０は、そのままフローを終了する。
【００４２】
有効なフォーマットを切り替える選択がなされてステップＳ１０３に移行した場合には、制御部２０は、ＯＳＤ処理部２４に指示をして、フォーマットの切り替えを再確認するためのＯＳＤ画像（確認メッセージＭｃ）を重畳表示させる（図５参照）。
【００４３】
図５に示すように、確認メッセージＭｃには、フォーマットを切り替えるとそれまで使用していたリモコンが使用できなくなる旨を警告するメッセージとともに、フォーマットの切り替えを再確認するメッセージが含まれている。そして、確認メッセージＭｃには、再確認に対する回答として、「はい」と「いいえ」の２つの項目が選択可能に表示されており、このうち「いいえ」が選択された状態になっている。ユーザーは、操作パネル２７又はリモコン４１，４２に備わる方向キーを操作することにより、任意の項目を選択することが可能であり、いずれか一方の項目を選択した後に決定キーを操作すると、項目の選択が完了する。
【００４４】
ステップＳ１０４では、制御部２０は、フォーマットの切り替えの再確認がなされたか否か、即ち確認メッセージＭｃで「はい」が選択されたか否かを判断する。そして、「はい」が選択された場合にはステップＳ１０５に移行し、「いいえ」が選択された場合には、フォーマットの切り替えを中止して、フローを終了する。
【００４５】
「はい」が選択されてステップＳ１０５に移行した場合には、制御部２０は、フォーマットの切り替えを実行する。具体的には、制御部２０は、設定記憶部２８ｂの有効フォーマット情報を書き換えることによって新たなフォーマットを有効にするとともに、有効にしたフォーマット用のデータテーブルを記憶部２１から読み出し、設定記憶部２８ｂに書き込む。
【００４６】
そして、ステップＳ１０６では、制御部２０は、プロジェクター１をスタンバイ状態に移行させて、フローを終了する。具体的には、制御部２０は、プロジェクター１の動作を終了させるための各種終了動作（例えば、光源１１の消灯等）を実施した後で、電源回路２５に指示をして各部への動作電力の供給を停止させる。
【００４７】
これにより、プロジェクター本体２は、新たに有効に設定されたフォーマットのリモコン信号を受信することが可能となり、電源をオンにするための操作も、それ以前とは異なるリモコンで行うことができる。
【００４８】
以上説明したように、本実施形態のプロジェクター１によれば、以下の効果を得ることができる。
【００４９】
（１）本実施形態のプロジェクター１によれば、有効に設定されたフォーマットのリモコン信号でのみ遠隔操作が可能な構成であるため、２台のプロジェクター本体２が近接して配置される場合でも、それぞれ異なるフォーマットを有効に設定しておけば、同一のリモコンで双方のプロジェクター本体２が遠隔操作されてしまうことがなくなり、複数のプロジェクター本体２を個別に遠隔操作することが可能となる。また、有効に設定されたフォーマットのリモコン以外では遠隔操作ができなくなるため、他方のリモコンによって意図しない遠隔操作がなされてしまうことを抑制することが可能となる。
【００５０】
（２）本実施形態のプロジェクター１によれば、有効にすべきフォーマットを設定する際に、フォーマット選択メニューＭｆに表示されるフォーマットの一覧の中から１つを選択する態様であるため、フォーマットの設定を容易に行うことが可能となる。
【００５１】
（３）本実施形態のプロジェクター１によれば、フォーマット選択メニューＭｆで有効にすべきフォーマットが選択された後、確認メッセージＭｃを表示して、フォーマットの切り替えの再確認を行うようにしているため、有効なフォーマットの設定変更（切り替え）が不用意に行われてしまうことを抑制することが可能となる。
【００５２】
なお、本実施形態では、ステップＳ１０１〜Ｓ１０５（図３参照）を実行して、有効なフォーマットを設定する際の制御部２０、ＯＳＤ処理部２４、及び設定記憶部２８ｂがフォーマット設定部に相当する。
【００５３】
（変形例）
また、上記実施形態は、以下のように変更してもよい。
【００５４】
上記実施形態において、２つのリモコン４１，４２が備える操作キーは、必ずしも同一である必要はない。例えば、図６に示すように、一方のリモコン（例えば、第１のリモコン４１）を、多数の操作キーを備えた多機能リモコンとし、他方のリモコン（例えば、第２のリモコン４２）を、操作キーの数を少なくして操作内容を制限した簡易リモコンとしてもよい。このような構成において、通常は、第２のリモコン４２（簡易リモコン）のフォーマットを有効にしておけば、多機能リモコンで予期せぬ操作（例えば、高度な設定操作等）をしてしまうことを防ぐことが可能となる。そして、多機能リモコンによる操作が必要な場合にのみ、有効なフォーマットを切り替えるようにすればよい。
【００５５】
上記実施形態では、プロジェクター１がリモコン４１，４２を備えた構成を示しているが、汎用のリモコンを利用することも可能であるため、リモコン４１，４２は必須の構成ではない。また、２つのうちいずれか一方のリモコンのみを備えるようにしてもよい。
【００５６】
上記実施形態では、リモコン信号受信部２８が２つのフォーマットのリモコン信号を受信可能になっているが、３つ以上のフォーマットを受信可能な構成にしてもよい。この場合には、３台以上のプロジェクター本体２が近接して配置される場合でも、それぞれを個別に遠隔操作することが可能となる。
【００５７】
上記実施形態では、フォーマットの切り替えを実行した後でスタンバイ状態に移行するようにしているが、さらにその後で自動的に再起動する（電源をオンにする）ようにしてもよい。また、有効にするフォーマットが選択された後もすぐにはフォーマットの切り替えを実行しないようにして、後でユーザーによって電源がオフにされる際に、フォーマットの切り替えを実行するようにしてもよい。また、フォーマットの切り替えを実行した後にスタンバイ状態に移行する必要がなければ、フォーマットの切り替え後も電源オンの状態を維持するようにしてもよい。
【００５８】
上記実施形態では、リモコン４１，４２とプロジェクター本体２とが赤外線により通信を行う態様を示しているが、赤外線以外の光通信であってもよいし、電波や超音波等を用いた通信方式を採用してもよい。
【００５９】
上記実施形態では、光変調装置として３つの液晶ライトバルブ１２Ｒ，１２Ｇ，１２Ｂを用いた３板式のプロジェクター１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００６０】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出される光を変調する微小ミラーアレイデバイス等を用いることもできる。
【００６１】
上記実施形態では、光源１１は、放電型の光源ランプ１１ａによって構成されているが、ＬＥＤ（Light Emitting Diode：発光ダイオード）光源等の固体光源や、その他の光源を用いることもできる。
【００６２】
上記実施形態では、画像表示装置として、プロジェクター１を例にして説明しているが、透過型のスクリーンを一体的に備えたリアプロジェクター、或いは、ＣＲＴ（陰極線管）ディスプレー、液晶ディスプレー、プラズマディスプレー、ＳＥＤ（Surface-conduction Electron-emitter Display）、有機ＥＬ（Electro Luminescence）ディスプレー等に適用することも可能である。
【符号の説明】
【００６３】
１…プロジェクター、２…プロジェクター本体、１０…画像投写部、１１…光源、１１ａ…光源ランプ、１１ｂ…リフレクター、１２Ｒ，１２Ｇ，１２Ｂ…液晶ライトバルブ、１３…投写レンズ、１４…ライトバルブ駆動部、２０…制御部、２１…記憶部、２２…画像情報入力部、２３…画像処理部、２４…ＯＳＤ処理部、２５…電源回路、２６…光源制御部、２７…操作パネル、２８…リモコン信号受信部、２８ａ…受光部、２８ｂ…設定記憶部、２８ｃ…信号処理部、４１…第１のリモコン、４２…第２のリモコン、Ｍｃ…確認メッセージ、Ｍｆ…フォーマット選択メニュー、Ｃ…画像出力装置、Ｓ…スクリーン。
【図１】
2010186036.tif 000003
【図２】
2010186036.tif 000004
【図３】
2010186036.tif 000005
【図４】
2010186036.tif 000006
【図５】
2010186036.tif 000007
【図６】
2010186036.tif 000008